(57)【要約】【課題】  防犯性の向上及び停電時等における開閉操作性の向上が図れるドア装置を提供する。【解決手段】  建物の開口に設けられる上枠２ａ、下枠２ｂ及び左右の縦枠２ｃ，２ｃからなる枠２と、該枠２に開閉可能に配置されるドアパネル３とを備え、上枠２ａと下枠２ｂの対向部にドアパネル３の戸先部を上枠２ａと下枠２ｂの長手方向に沿って移動自在に案内する案内部１５，１６を設け、ドアパネル３の戸先上下部に案内部１５，１６により案内される被案内部１７，１８を設け、縦枠２ｃの近傍にドアパネル３の上下部の幅方向略中間位置を軸支してドアパネル３をその吊元側が室外側に突出するように開閉する上下一対のアーム部材１９，２０を有する回動軸２１を設け，前記ドアパネル３の吊元側端部を、縦枠２ｃの室外側を覆うと共にドアパネル３を開閉操作するための把手部６３として形成している。【選択図】          図５
2005290936.tif 000002
【特許請求の範囲】
【請求項１】
建物の開口に設けられる上枠、下枠及び左右の縦枠からなる枠と、該枠に両開き又は片開きに開閉可能に配置されるドアパネルと、上枠と下枠の対向部に設けられ、ドアパネルの戸先部を上枠と下枠の長手方向に沿って移動自在に案内する案内部と、ドアパネルの戸先上下部に設けられ、案内部に案内される被案内部と、縦枠の近傍に回動軸が設けられ、ドアパネルの上下部の幅方向略中間位置を軸支してドアパネルをその吊元側が室外側に突出するように開閉する上下一対のアーム部材とを備え、前記ドアパネルの吊元側端部を、縦枠の室外側を覆うと共にドアパネルを開閉操作するための把手部として形成したことを特徴とするドア装置。
【発明の詳細な説明】
【技術分野】
【０００１】
本発明は、ドア装置に係り、特に吊元側が室外側に突出するように開閉するドアパネルを有するドア装置の改良に関するものである。
【背景技術】
【０００２】
従来のこの種のドア装置としては、例えば特開平７−３０１０４８号公報に記載されているようなドア装置（バランスドアともいう）が知られている。このドア装置は、建物の開口に設けられる上枠、下枠及び左右の縦枠からなる枠と、該枠に両開きに開閉可能に配置されるドアパネルとを備え、上枠にドアパネルの戸先部を上枠の長手方向に沿って移動自在に案内するガイドレールを設け、ドアパネルの戸先上部にガイドレールにより案内されるガイドローラを設け、縦枠の近傍にドアパネルの上下部の幅方向略中間位置を軸支してドアパネルをその吊元側が室外側に突出するように開閉する上下一対のアーム部材を有する回動軸を設けて構成されている。回動軸にはドア開閉用の駆動機構が接続されている。
【０００３】
このドア装置によれば、ドアパネルの戸先側が上枠の長手方向に移動しながらドアパネルの吊元側が室外側に突出するように開閉するため、ドア開閉時にドアパネルと人が干渉する恐れが無く、ドアパネルの室外側前方にドアパネルとの干渉を回避するための広いスペースを確保できない場合などに好適である。
【０００４】
【特許文献１】特開平７−３０１０４８号公報
【発明の開示】
【発明が解決しようとする課題】
【０００５】
しかしながら、前記ドア装置においては、回動軸がドアパネルの吊元側端部と縦枠の間に位置して室外側に露出しているため、意匠性はもとより防犯性に劣る。また、例えば停電や駆動機構の故障等が生じた場合、ドアパネルを手動で開けることが困難であり、開閉操作性にも劣る。
【０００６】
本発明は、上記事情を考慮してなされたものであり、防犯性の向上及び停電時等における開閉操作性の向上が図れるドア装置を提供することを目的とする。
【課題を解決するための手段】
【０００７】
本発明は、建物の開口に設けられる上枠、下枠及び左右の縦枠からなる枠と、該枠に両開き又は片開きに開閉可能に配置されるドアパネルと、上枠と下枠の対向部に設けられ、ドアパネルの戸先部を上枠と下枠の長手方向に沿って移動自在に案内する案内部と、ドアパネルの戸先上下部に設けられ、案内部に案内される被案内部と、縦枠の近傍に回動軸が設けられ、ドアパネルの上下部の幅方向略中間位置を軸支してドアパネルをその吊元側が室外側に突出するように開閉する上下一対のアーム部材とを備え、前記ドアパネルの吊元側端部を、縦枠の室外側を覆うと共にドアパネルを開閉操作するための把手部として形成したことを特徴とする。
【発明の効果】
【０００８】
本発明によれば、建物の開口に設けられる上枠、下枠及び左右の縦枠からなる枠と、該枠に両開き又は片開きに開閉可能に配置されるドアパネルと、上枠と下枠の対向部に設けられ、ドアパネルの戸先部を上枠と下枠の長手方向に沿って移動自在に案内する案内部と、ドアパネルの戸先上下部に設けられ、案内部に案内される被案内部と、縦枠の近傍に回動軸が設けられ、ドアパネルの上下部の幅方向略中間位置を軸支してドアパネルをその吊元側が室外側に突出するように開閉する上下一対のアーム部材とを備え、前記ドアパネルの吊元側端部を、縦枠の室外側を覆うと共にドアパネルを開閉操作するための把手部として形成しているため、例えば建物内に不正に侵入しようとする者がバールで箱錠等を破壊しようとする場合、バールが箱錠等に届き難く、防犯性の向上が図れ、また、例えば停電や駆動機構の故障等において、把手部を室外側へ引っ張ることによりドアパネルを手動で容易に開けることができ、停電時等における開閉操作性の向上が図れる。
【発明を実施するための最良の形態】
【０００９】
以下に、本発明を実施するための最良の形態について、添付図面を基に詳述する。図１は本発明の実施の形態であるドア装置を概略的に示す図で、（ａ）は室外側正面図、（ｂ）は縦断面図、図２はドア装置の拡大縦断面図、図３はドア装置の部分的横断面図、図４はドアパネルを支持するアーム部材の正面図、図５はドアパネルの開閉の動きを説明する概略的横断面図である。
【００１０】
これらの図において、１は例えば玄関ドアとして好適なドア装置で、このドア装置１は建物の開口に設けられる上枠２ａ、下枠２ｂ及び左右の縦枠２ｃ，２ｃからなる枠２と、該枠２に両開きに開閉可能に配置される一対のドアパネル３，３とを備えている。上枠２ａは、図２に示すように後述の駆動機構３７の支持枠を構成しており、この上枠（主上枠）２ａよりも下方で閉鎖位置のドアパネル３よりも室内側には補助上枠４が配置されている。これら主上枠２ａ及び補助上枠２ｂは躯体のマグサ５に固着具例えばネジで固定されている。縦枠２ｃは躯体の間柱６に固着具例えばネジで固定され、下枠２ｂは床面７と略同一高さのバリアフリー仕様となるように床基礎８に設置されることが好ましい。
【００１１】
ドアパネル３は、例えば上縁材９ａ、下縁材９ｂ及び左右の縦縁材９ｃ，９ｄを方形に組み、その室外面と室内面に金属製の表面材１０と裏面材１１を張設し、内部に発泡断熱材（図示省略）を充填してなる。ドアパネル３の上部、下部及び吊元側の側部（端部）には、上縁材９ａ、下縁材９ｂ及び吊元側縦縁材９ｄをドアパネル３の厚さ方向略中間部で断面略Ｌ字状に折曲することにより段部（凹部）１２，１３ａ，１４が形成されている。また、ドアパネル３の下端部には、後述の下部気密機構４７を取付けるために、ドアパネル３の厚さ方向略中間部から室外側の下縁材１１ｂ部分を更に断面略Ｌ字状に折曲することにより段部（凹部）１３ｂが設けられている。ドアパネル３の下部において、１３ａを第１段部，１３ｂを第２段部と呼ぶこととする。
【００１２】
上枠２ａと下枠２ｂの対向部にはドアパネル３の戸先部３ａを上枠２ａと下枠２ｂの長手方向に沿って移動自在に案内する案内部１５，１６が設けられ、ドアパネル３の戸先上下部には案内部１５，１６に係合して案内される被案内部１７，１８が設けられている。図示例では上枠２ａの案内部１５はガイドスリットからなり、下枠２ｂの案内部１６はガイド溝からなる。また、上部の被案内部１７はドアパネル３の上部の段部１２に上向きに突設されたガイドピンからなり、下部の被案内部１８はドアパネル３の第１段部１３ｂに
下向きに突設されたガイドピンからなる。これらのガイドピンには摩擦軽減用のローラ６５が回転自在に取付けられていることが好ましい。
【００１３】
縦枠２ｃの近傍には、図３ないし図４に示すようにドアパネル３の上下部の幅方向略中間位置を軸支してドアパネル３をその吊元側が室外側に突出するように開閉する上下一対のアーム部材１９，２０を有する回動軸２１が設けられている。回動軸２１は縦枠２ｃの内側近傍に縦枠２ｃと平行に設けられている。回動軸２１は、図２にも示すように上枠２ａと下枠２ｂに軸受２２，２３を介して回動自在に取付けられている。回動軸２１の所定位置にアーム部材１９，２０の基端部が嵌合されてキー２４及びスプリングピン２５を介して固定され、これにより組立性及び開閉動作の安定性の向上が図られている。
【００１４】
上下のアーム部材１９，２０の先端部にはドアパネル３の上部と下部を支持する支軸部材２６，２７が回動自在に設けられている。ドアパネル３の上部の段部１２と下部の第１段部１３ａの幅方向中間位置に上向きの支軸部材１６と下向きの支軸部材２７が取付けられる。上部の支軸部材２６にはドアパネル３の上下位置調整用のナット２８が螺合されている。具体的には、上部のアーム部材１９の先端部には上部の支軸部材２６を回動自在に挿通するブッシュ２９が設けられ、支軸部材２６の上端部にはブッシュ２９の上端に摺接回動可能に当接するようにしてナット２８が螺合され、更に支軸部材２６の上端部にはナット２８を所定の調整位置に固定するための皿ネジ３０が螺着されている。アーム部材１９の回動（旋回）に伴いナット２８が緩むのを防止するために、皿ネジ３０はナット２８とは逆ネジ構造になっていることが好ましい。
【００１５】
下部の支軸部材２７には、ドアパネル３の上下位置調整に対応してドアパネル３の支持位置を調整する調整ネジ３１が設けられていると共に、ドアパネル３の左右位置を調整する図示しない調整機構が取付基板３２を介して取付けられている。この調整機構としては、例えば特開平１１−１１７５９６号公報に記載されているようなカム式の調整機構が用いられている。ドアパネル３は施工の最後に取付可能になっていることにより施工性の向上が図られている。また、ドアパネル３の裏側（室内側）にアーム部材１９，２０を配置することにより、意匠性及び防犯性の向上が図られている。
【００１６】
例えばドアパネル３に設けられた箱錠等の電源用等として、下部のアーム部材２０及び支軸部材２７には外部からドアパネル３の内部に電気配線（電源ケーブルや信号ケーブル）３３を導入するための配線通路３４，３５が設けられており、電気配線３３の露出を防止して意匠性の向上が図られている。また、縦枠２ｃには、アーム部材１９，２０と干渉しないようにして回動軸２１を覆うカバー部材３６が着脱可能に設けられ、意匠性の向上が図られている。なお、図示例の回動軸２１は、組立施工が容易で、且つ上下のアーム部材１９，２０を同期させるために、両端にキー付嵌合軸部２１ａ，２１ａを突設したジョイント軸２１ｂと、該ジョイント軸２１ｂの両端のキー付嵌合軸部２１ａ，２１ａに嵌合接続される端部軸部２１ｃ，２１ｄとからなり、端部軸部２１ｃ，２１ｄが軸受２２，２３に支持されている。
【００１７】
上枠２ａには、前記回動軸２１を駆動するためのドア開閉用の駆動機構３７が設けられている。この駆動機構３７は、モータ（例えばパルスモータ）３７ａ及び減速機３７ｂを備えている。減速機３７ｂには左右の回動軸２１，２１に同じ回転数で逆方向の回転力を出力するために、第１出力軸３８ａと第２出力軸３８ｂが下部と上部に設けられている。その第１出力軸３８ａに一方の回動軸２１の上端部が直接連結されている。他方の回動軸２１の上端部は上枠２ａ上に軸受３９を介して回転自在に支持された従動軸４０に接続され、この従動軸４０と前記第２出力軸３８ａとが伝達手段例えばタイミングベルト４１を介して連結されている。このように第１出力軸３８ａと第２出力軸３８ｂを備えた減速機付モータ３７ａを採用していることにより構造の簡素化及びコストの低減が図られている。なお、上枠２ａには、被案内部（ガイドピン）１７を介してドア開位置、ドア開減速位置、ドア閉減速位置及びドア閉位置を検出する近接センサ４２（図２参照）が配設され、その検出信号により駆動機構３７を制御するように構成されている。上枠２ａには、上枠２ａ及び駆動機構３７を覆うカバー部材６４が着脱可能に取付けられている。
【００１８】
ドア閉鎖時の気密性を確保するために、枠（図示例では補助上枠４及び左右の縦枠２ｃ）にはドアパネル３との間を封止する気密材４３，４４が設けられている。気密材４３，４４は例えば軟質樹脂製のパッキン（ビード）からなっている。気密材４３，４４は補助上枠４及び左右の縦枠２ｃの室外面に着脱可能に取付けられている。
【００１９】
前記案内部１５，１６の戸先側には、図５ないし図６に示すように、ドア閉め時に気密材４３，４４を押圧すべくドアパネル３の戸先部３ａを室内側に引き寄せるための引き寄せ部４５が設けられている。この引き寄せ部４５は、案内部１５，１６の戸先側端部へ向う被案内部１７，１８をドア閉鎖間際に室内側に引き寄せるべく導く（案内する）ための室内側に湾曲ないし傾斜した引き寄せ溝として案内部１５，１６の戸先側端部から連続して設けられている。引き寄せ部４５によってドアパネル３が閉鎖間際に枠２の気密材４３，４４に押付けられるため、気密性の向上が図れる。また、閉鎖間際でドアパネル３がドア閉鎖時には気密材４３，４４に押圧され、ドア開放時には気密材４３，４４から離反されるため、気密材が擦れることが無く、気密材４３，４４の耐久性の向上が図れる。
【００２０】
なお、図２と図３の図示例では、補助上枠４の気密材４３がドアパネル３の室内面に接触し、縦枠２ｃの気密材４４がドアパネルの段部１４側の室内面に接触するようになっている。この場合、補助上枠４の気密材４３の気密ラインと縦枠２ｃの気密材４４の気密ラインとが平面的及び断面的に見て多少離れているが、気密性能的には許容範囲内となっている。更に気密性の向上を図るために上枠２ｃには閉鎖時のドアパネル３の上端部に接触してドアパネル３の上端部との間を封止する気密材４６が設けられていることが好ましい。
【００２１】
下枠２ｂとドアパネル３の下部との間を封止するために、下枠２ｂ上に閉鎖時にドアパネル３の下部が当接する戸当り部を設け、該戸当り部にドアパネル３との間を封止する気密材を設けても良い。しかしながら、実施例では下枠２ｂの上面が平坦に形成されてバリアフリーになっているため、ドアパネル３の下部にはドア閉鎖時に下枠２ｂ上に降下して下枠２ｂとの間を封止する下部気密機構（ボトムシャッター）４７が設けられている。
【００２２】
下部気密機構４７は、図２、図７ないし図８に示すように、左右の長穴４８に通した左右一対の取付ネジ４９を介してドアパネル３の前記第２段部１３ｂの室内面（取付面）に上下移動可能に取付けられた断面Ｕ字状の昇降枠５０と、この昇降枠５０の下部に設けられ、ドア閉鎖時に昇降枠５０と一体に降下して下枠２ｂとの間を封止する気密材５１と、ドア閉鎖間際に昇降枠５０を降下させる連動操作機構５２とを備えている。
【００２３】
連動操作機構５２は、前記第２段部１３ｂの下面に取付けられた支持枠５３を介して昇降枠５０内の長手方向に沿って移動可能に支持された操作棒５４と、この操作棒５４の途中に取付部材５５を介して設けられたガイドピン５６と、前記昇降枠５０内に設けられ、ガイドピン５６がスライド可能に係合する傾斜したガイド溝（カム溝）５７を有するガイド枠５８と、操作棒５４とガイドピン５６及びガイド溝５７を介して昇降枠５０を上方に付勢するバネ（付勢手段）５９と、操作棒５４の先端部に設けられ昇降枠５０の戸先側端部から突出された円柱状の操作部６０とから構成されている。
【００２４】
前記ガイド溝５７の一端にはドア閉鎖間際まで昇降枠５０を上位置に維持するための水平な吸収溝部５７ａが設けられている。ドア開放時にはガイドピン５６がバネ５９に付勢されて吸収溝部５７ａに位置されており、昇降枠５０は上方に付勢されてドアパネル３の第２段部１３ｂに収納された状態にある。ドア閉鎖時には両ドアパネル３，３の戸先同士が接近し、連動操作機構５２の操作部６０，６０同士が当接し、これにより操作棒５４がバネ５９の付勢力に抗して移動され、これに伴ってガイドピン５６が吸収溝部５７ａからガイド溝５７に移動し、これによりドア閉鎖間際に昇降枠５０が下方に押し動かされ（降下され）、昇降枠５０の下部の気密材５１が下枠２ｂの上面に押付けられて封止するようになっている。ドアパネル３を閉鎖状態から開ける場合には、前記とは逆の動作で昇降枠５０がバネ５９の付勢力で上昇移動され、気密材５１が下枠２ｂ上面から離反される。
【００２５】
前記ドアパネル３の戸先部３ａには、ドア閉鎖時に戸先部３ａ，３ａ間を封止するための気密材６１が設けられている。図示例では、気密性を向上させるために、気密材６１同士がドア閉鎖時に互いに係合するように横断面凹凸状に形成されている。
【００２６】
前記ドアパネル３の吊元側の内部には、段部１４の端面から側方に突出可能なデッドボルト（例えば鎌形ボルト）６２ａを有する箱錠６２が設けられ、縦枠２ｃ側（図示例ではカバー部材３６）にはデッドボルト６２ａを引っ掛ける受座６２ｂが設けられている。ドアパネル３には箱錠６２を室内側から施解錠操作するための操作部であるサムターン（図示省略）が設けられている。防犯性の向上を図るために、サムターンは箱錠６２から離れた位置に設けられ、このサムターンと箱錠６２は遠隔操作部材を介して接続されていることが好ましい。また、箱錠６２を室外側から施解錠する手段としては、シリンダー錠であっても良いが、防犯性の向上を図るために、無線で箱錠６２を施解錠するように構成されていることが好ましい。
【００２７】
前記ドアパネル３の吊元側端部（側部）は、縦枠２ｃの室外側を覆うと共にドアパネル３を開閉操作するための把手部６３として形成されている。すなわち、ドアパネル３の吊元側端部が縦枠２ｃの室外面を覆うように側方に延出されているので、バールが箱錠６２やそのデッドボルト６２ａに届き難くなり、防犯性の向上が図れると共に、その部分が把手部６３とされているので、例えば停電時や駆動機構の故障時等において、把手部６３を室外側へ引っ張ることによりドアパネル３を手動で容易に開けることができるようになる。
【００２８】
以上の構成からなるドア装置１によれば、建物の開口に設けられる上枠２ａ、下枠２ｂ及び左右の縦枠２ｃ，２ｃからなる枠２と、該枠２に開閉可能に配置されるドアパネル３とを備え、上枠２ａと下枠２ｂの対向部にドアパネル３の戸先部３ａを上枠２ａと下枠２ｂの長手方向に沿って移動自在に案内する案内部１５，１６を設け、ドアパネル３の戸先上下部に案内部１５，１６により案内される被案内部１７，１８を設け、縦枠２ｃの近傍にドアパネル３の上下部の幅方向略中間位置を軸支してドアパネル３をその吊元側が室外側に突出するように開閉する上下一対のアーム部材１９，２０を有する回動軸２１を設け、枠２又はドアパネル３に気密材４３，４４を設け、前記案内部１５，１６の戸先側に、ドア閉め時に気密材４３，４４を押圧すべくドアパネル３の戸先部３ａを室内側に引き寄せるための引き寄せ部４５を設けているため、ドア閉鎖時の気密性の向上が図れる。また、ドアパネル３の戸先上下部を上枠２ａと下枠２ｂの長手方向に沿って移動自在に案内する構造であるため、耐風圧性の向上が図れる。
【００２９】
このようにドア装置１は、ドア閉鎖時の気密性（水密性を含む）の向上及び耐風圧性の向上が図れるため、玄関ドアとして好適である。この場合、引き寄せ部４５は、案内部１５，１６の戸先側端部へ向う被案内部１７，１８をドア閉鎖間際に室内側に引き寄せるべく導く（案内する）ための室内側に湾曲ないし傾斜した引き寄せ溝として案内部１５，１６の戸先側端部から連続して設けられているため、簡単な構造で円滑に引き寄せることができる。ドア閉鎖間際にドアパネル３が気密材４３，４４に押圧され、ドア開放時にドアパネル３が気密材から離反されるようになるため、気密材が擦れることが無く、気密材の耐久性の向上が図れる。
【００３０】
前記ドアパネル３の吊元側端部（側部）は、縦枠２ｃの室外側を覆うと共にドアパネル３を開閉操作するための把手部６３として形成されているため、意匠性の向上が図れることは勿論、例えば建物内に不正に侵入しようとする者がバールで箱錠６２等を破壊しようとする場合、バールが箱錠６２やそのデッドボルト６２ａに届き難くなり、防犯性の向上が図れると共に、そのドアパネル３の吊元側端部が把手部６３とされているので、例えば停電時や駆動機構の故障時等において、把手部６３を室外側へ引っ張ることによりドアパネル３を手動で容易に開けることができ、停電時等における開閉操作性の向上が図れる。
【００３１】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、前記実施例では本発明を両開きのドアに適用した例が記載されているが、本発明は片開きドアにも適用可能である。案内部としては、ガイドレール等であっても良い。また、気密材は、枠側でなく、ドアパネル側に設けられていても良い。
【図面の簡単な説明】
【００３２】
【図１】本発明の実施の形態であるドア装置を概略的に示す図で、（ａ）は室外側正面図、（ｂ）は縦断面図である。
【図２】ドア装置の拡大縦断面図である。
【図３】ドア装置の部分的横断面図である。
【図４】ドアパネルを支持するアーム部材の正面図である。
【図５】ドアパネルの開閉の動きを説明する概略的横断面図である。
【図６】下枠に設けられたガイドレールを示す平面図である。
【図７】ドアパネルの下部に設けられる下部シャッター機構を示す図で、（ａ）は平面図、（ｂ）は側面図、（ｃ）は縦断面図である。
【図８】図７の（ｂ）のＡ−Ａ線拡大断面図である。
【符号の説明】
【００３３】
１  ドア装置
２  枠
２ａ  上枠
２ｂ  下枠
２ｃ  縦枠
３  ドアパネル
１５，１６  案内部
１７，１８  被案内部
１９，２０  アーム部材
２１  回動軸
６３  把手部
【図１】
2005290936.tif 000003
【図２】
2005290936.tif 000004
【図３】
2005290936.tif 000005
【図４】
2005290936.tif 000006
【図５】
2005290936.tif 000007
【図６】
2005290936.tif 000008
【図７】
2005290936.tif 000009
【図８】
2005290936.tif 000010